(57)【要約】【課題】本発明は、盗難警報装置を保護する保護装置及び保護方法を提供する。【解決手段】本発明に係る盗難警報装置を保護する保護装置は、外壁と、外壁内に収容された内壁と、外壁と内壁との間に設置されている盗難警報装置と、を備える。盗難警報装置は、複数の第一赤外線感応モジュール、警報モジュール及び制御モジュールを備える。第一赤外線感応モジュールの赤外線発射器及び赤外線受信器が、それぞれ外壁と内壁との間に均一に設置されて、外壁と内壁との間に均一且つ連続的な赤外線受発光層が形成される。制御モジュールは、赤外線受信器及び警報モジュールと接続され、且つ少なくとも１つの赤外線発射器から赤外線受信器までの赤外線が遮断された場合、ある物体が外壁と内壁との間を通過していると判断し、警報信号を発信するように警報モジュールを制御する。【選択図】図１
2013140585.tif 000002
【特許請求の範囲】
【請求項１】
盗難警報装置を保護する保護装置において、
外壁と、前記外壁内に収容された内壁と、前記外壁と前記内壁との間に設置されている盗難警報装置と、を備え、
前記盗難警報装置は、複数の第一赤外線感応モジュール、警報モジュール及び制御モジュールを備え、
各々の第一赤外線感応モジュールは、赤外線を発射する赤外線発射器及び前記赤外線発射器が発射した赤外線を受信する赤外線受信器を備え、
前記複数の赤外線発射器及び前記複数の赤外線受信器が、それぞれ前記外壁と前記内壁との間に均一に設置されて、前記外壁と前記内壁との間に均一且つ連続的な赤外線受光層と赤外線発光層とが離間して形成され、
前記制御モジュールは、前記複数の赤外線受信器及び前記警報モジュールと接続され且つ少なくとも１つの赤外線発射器から赤外線受信器までの赤外線が遮断された場合、ある物体が前記外壁と前記内壁との間を通過していると判断し、警報信号を発信するように前記警報モジュールを制御することを特徴とする盗難警報装置を保護する保護装置。
【請求項２】
前記複数の赤外線発射器は、それぞれ外壁の内面又は内壁外面のいずれか一方の面に設置され、
前記複数の赤外線受信器は、それぞれ前記複数の赤外線発射器に対向するように、前記外壁の内面又は内壁の外面の他方の面に設置されることを特徴とする請求項１に記載の盗難警報装置を保護する保護装置。
【請求項３】
前記盗難警報装置は身分検証モジュールをさらに備え、
前記身分検証モジュールは、進入された物体が前記盗難警報装置による許可対象であるかどうかを検証し、
前記制御モジュールは、前記身分検証モジュールによって識別された物体が前記盗難警報装置による許可対象である場合、前記警報モジュールを制御して警報機能を停止させる機能をさらに有することを特徴とする請求項１又は２に記載の盗難警報装置を保護する保護装置。
【請求項４】
前記制御モジュールは、前記身分検証モジュールによって識別された物体が前記盗難警報装置による許可対象である場合、前記内壁に設置されている内側制御ドアを制御して自動的に開放させ且つ開放されている時間を記録し且つその時間が所定の時間を超えると、前記警報モジュールを制御して警報信号を発信する機能をさらに有することを特徴とする請求項１〜３のいずれか1項に記載の盗難警報装置を保護する保護装置。
【請求項５】
前記盗難警報装置は、第二赤外線感応モジュールをさらに備え、前記第二赤外線感応モジュールは、それぞれ前記内側制御ドアのドアフレームの両側に設置される赤外線発射器及び赤外線受信器を備え、前記制御モジュールは、前記第二赤外線感応モジュールの赤外線発射器から赤外線受信器までの赤外線が遮断されたと判断された場合、引き続き前記第一赤外線感応モジュールの赤外線発射器から赤外線受信器までの赤外線も遮断されるかどうかを判断し、前記第二赤外線感応モジュールの遮断時間が、前記第一赤外線感応モジュールの遮断時間より早いと、前記制御モジュール３０３は、許可対象物が前記内側制御ドアを通過して前記保護装置の内部から外部へ出ると判断して前記警報モジュールの警報機能を停止させることを特徴とする請求項１〜４のいずれか1項に記載の盗難警報装置を保護する保護装置。
【請求項６】
盗難警報装置を保護する保護方法において、
外壁及び前記外壁内に収容された内壁を備える保護装置を提供するステップと、それぞれ赤外線を発射する赤外線発射器及び前記赤外線発射器が発射した赤外線を受信する赤外線受信器を有する複数の第一赤外線感応モジュールを備える盗難警報装置を提供するステップと、前記複数の赤外線発射器及び前記複数の赤外線受信器を、それぞれ前記外壁と前記内壁との間に均一に設置して、前記外壁と前記内壁との間に均一且つ連続的な赤外線受光層と赤外線発光層とを離間して形成するステップと、を含むことを特徴とする盗難警報装置を保護する保護方法。
【請求項７】
前記複数の赤外線発射器は、それぞれ前記外壁の内面又は内壁外面のいずれか一方の面に設置され、前記複数の赤外線受信器は、それぞれ前記複数の赤外線発射器に対向するように、前記外壁の内面又は内壁の外面の他方の面に設置されることを特徴とする請求項６に記載の盗難警報装置を保護する保護方法。
【発明の詳細な説明】
【技術分野】
【０００１】
本発明は、盗難防止技術に関し、特に盗難警報装置を保護する保護装置及び保護方法に関するものである。
【背景技術】
【０００２】
現在、赤外線感応装置が、倉庫、銀行等のような盗難防止技術として広く使用されている。しかし、従来の赤外線感応装置は、盗難防止対象物の外部に設置され、且つそれに対する保護構造が設置されないので、容易に破壊される可能性がある。もし、不法者が赤外線感応装置を破壊すると、盗難防止対象物に対する盗難警報機能を喪失することになる。
【発明の概要】
【発明が解決しようとする課題】
【０００３】
以上の問題点に鑑みて、本発明は、盗難警報装置を保護する保護装置及び保護方法を提供することを目的とする。
【課題を解決するための手段】
【０００４】
前記課題を解決するために、本発明に係る盗難警報装置を保護する保護装置は、外壁と、前記外壁内に収容された内壁と、前記外壁と前記内壁との間に設置されている盗難警報装置と、を備える。前記盗難警報装置は、複数の第一赤外線感応モジュール、警報モジュール及び制御モジュールを備える。各々の第一赤外線感応モジュールは、赤外線を発射する赤外線発射器及び前記赤外線発射器が発射した赤外線を受信する赤外線受信器を備える。前記複数の赤外線発射器及び前記複数の赤外線受信器が、それぞれ前記外壁と前記内壁との間に均一に設置されて、前記外壁と前記内壁との間に均一且つ連続的な赤外線受光層と赤外線発光層とが離間して形成され、前記制御モジュールは、前記複数の赤外線受信器及び前記警報モジュールと接続され、且つ少なくとも１つの赤外線発射器から赤外線受信器までの赤外線が遮断された場合、ある物体が前記外壁と前記内壁との間を通過していると判断し、警報信号を発信するように前記警報モジュールを制御する。
【０００５】
また、前記課題を解決するために、本発明に係る盗難警報装置を保護する保護方法は、外壁及び前記外壁内に収容された内壁を備える保護装置を提供するステップと、それぞれ赤外線を発射する赤外線発射器及び前記赤外線発射器が発射した赤外線を受信する赤外線受信器を有している複数の第一赤外線感応モジュールを備える盗難警報装置を提供するステップと、前記複数の赤外線発射器及び前記複数の赤外線受信器を、それぞれ前記外壁と前記内壁との間に均一に設置して、前記外壁と前記内壁との間に均一且つ連続的な赤外線受光層と赤外線発光層とを離間して形成するステップと、を含む
【発明の効果】
【０００６】
本発明に係る盗難警報装置を保護する保護装置及び保護方法において、盗難警報装置が外壁と内壁との間に設置されることによって、前記盗難警報装置が外部に露出されなくて、不法者が盗難警報装置に対して破壊できない。また、物体が外壁と内壁との間を通過する時、その間の赤外線が遮断されて警報される。
【図面の簡単な説明】
【０００７】
【図１】本発明に係る盗難警報装置を保護する保護装置の断面図である。
【図２】本発明に係る盗難警報装置を保護する保護装置の機能ブロック図である。
【図３】本発明に係る盗難警報装置を保護する保護方法のフローチャートである。
【発明を実施するための形態】
【０００８】
以下、図面に基づいて、本発明に係る盗難警報装置を保護する保護装置について詳細に説明する。
【０００９】
図１を参照すると、本発明に係る盗難警報装置を保護する保護装置１は、外壁１０と、該外壁１０と一定の間隔をあけるように該外壁１０内に収容された内壁２０と、を備える。本実施形態において、外壁１０及び内壁２０は、全て直方体構造であり、通常の金属材料からなるが、これに限定されることではなく、具体的な要求によって改変されることができる。保護装置１は、金庫、倉庫等であることができる。
【００１０】
図１及び図２を参照すると、外壁１０と内壁２０との間には、盗難警報装置３０が設置されている。本実施形態において、盗難警報装置３０は、複数の第一赤外線感応モジュール３０１、警報モジュール３０２及び制御モジュール３０３を備える。
【００１１】
各々の第一赤外線感応モジュール３０１は、赤外線発射器３０１１及び赤外線受信器３０１２を備える。赤外線発射器３０１１は、赤外線を発射し、赤外線受信器３０１２は、赤外線発射器３０１１が発射した赤外線を受信する。本実施形態において、複数の赤外線発射器３０１１は、それぞれ外壁１０の内面で、内壁２０に対向する表面に均一に設置され、複数の赤外線受信器３０１２は、それぞれ該複数の赤外線発射器３０１１に対向するように、内壁２０の外面に均一に設置されている。赤外線発射器３０１１を内壁２０の外面に設置し、赤外線受信器３０１２を外壁１０の内面に、対向するように設置してもよい。従って、外壁１０と内壁２０との間に均一且つ連続的な赤外線受光層と赤外線発光層とが離間して形成される。もちろん、具体的な要求によって赤外線発射器３０１１及び赤外線受信器３０１２の設置位置を改変することもできる。
【００１２】
制御モジュール３０３は、複数の赤外線受信器３０１２及び警報モジュール３０２に接続される。少なくとも１つの赤外線受信器３０１２が赤外線を受信しなかった場合、該制御モジュール３０３は、ある物体（人員等）が外壁１０と内壁２０との間を通過する（保護装置の内部に出入りする）ことによって第一赤外線感応モジュール３０１１が発射した赤外線受発光層間の赤外線が遮断されたと判断し、且つ警報信号を発信するように警報モジュール３０２を制御する。
【００１３】
本実施形態において、盗難警報装置３０は、身分検証モジュール３０４及び記憶モジュール３０５をさらに備える。身分検証モジュール３０４は、内壁２０の内側制御ドア２００の付近に設置される。該身分検証モジュール３０４は、進入された物体が盗難警報装置３０による許可対象であるかどうかを検証する。本実施形態において、身分検証モジュール３０４は、指紋識別器である。記憶モジュール３０５には、盗難警報装置３０による許可対象である人員全部の指紋情報に関する指紋パターンのデータベースが記憶されている。指紋識別器は、指紋情報を採集し、且つ指紋パターンを形成した後、その指紋パターンを記憶モジュール３０５のデータベースと比較して、それに対応する指紋パターンがあるかどうかを判断する。該データベースの中にそれ（指紋識別器が採集し且つ形成した指紋パターン）に対応する指紋パターンがあると、その人員は盗難警報装置３０による許可対象である。また、盗難警報装置３０は、他の身分検証技術で物体が許可対象であるかどうかを判断することができる。例えば、身分検証モジュール３０４は、磁気カード読み取りモジュールである。該磁気カード読み取りモジュールは、読み取りした情報に基づいて、磁気カードが盗難警報装置３０による許可対象であるか否かを識別する。
【００１４】
本実施形態において、制御モジュール３０３は、身分検証モジュール３０４が識別した物体が盗難警報装置３０による許可対象である場合、警報モジュール３０２を制御して警報機能を停止させると共に、内側制御ドア２００を制御して自動的に開放させ、且つ時間を記録する。もし、内側制御ドア２００の開放時間（開放している時間）が所定の時間を超えると、制御モジュール３０３が警報モジュール３０２を制御して警報信号を発信する。同様に、外側制御ドア１００の付近の外壁１０にも身分検証モジュール３０４を設置することができる。身分検証モジュール３０４が識別した物体が盗難警報装置３０による許可対象である場合、外側制御ドア１００も自動的に開放される。
【００１５】
本実施形態において、盗難警報装置３０は、内側制御ドア２００の内側に設置される第二赤外線感応モジュール３０６をさらに備える。第二赤外線感応モジュール３０６は、それぞれ内側制御ドア２００のドアフレームの両側に設置される赤外線発射器３０６１及び赤外線受信器３０６２を備えて、内側制御ドア２００の出口に連続的な赤外線受光層と赤外線発光層とを離間して形成する。制御モジュール３０３は、第二赤外線感応モジュール３０６の赤外線受信器３０６２とも接続される。第二赤外線感応モジュール３０６の赤外線発射器３０６１から赤外線受信器３０６２までの赤外線が遮断されたと判断された場合、制御モジュール３０３は、引き続き第一赤外線感応モジュール３０１の赤外線発射器３０１１から赤外線受信器３０１２までの赤外線も遮断されるかどうかを判断する。該第二赤外線感応モジュール３０６の遮断時間が、該第一赤外線感応モジュール３０１の遮断時間より早いと、該制御モジュール３０３は、物体（許可対象物）が該内側制御ドア２００を通過して保護装置１の内部から外部へ出ると判断し、且つ警報モジュール３０２の警報機能を停止させて、許可対象である物体が保護装置１から出る時の、誤警報現象を防止することができる。
【００１６】
以下、図３を参照しながら、本発明に係る盗難警報装置３０の保護方法を説明する。該保護方法は、以下のステップ（Ｓ３１〜Ｓ３３）を含む。
【００１７】
ステップＳ３１では、外壁１０と、該外壁１０と一定の間隔をあけるように該外壁１０内に収容された内壁２０と、を備える保護装置１を提供する。
【００１８】
ステップＳ３２では、それぞれ赤外線を発射する赤外線発射器３０１１及び該赤外線発射器３０１１が発射した赤外線を受信する赤外線受信器３０１２を有している複数の第一赤外線感応モジュール３０１を備える盗難警報装置３０を提供する。
【００１９】
ステップＳ３３では、複数の赤外線発射器３０１１及び複数の赤外線受信器３０１２を、それぞれ外壁１０と内壁２０との間に均一に設置して、該外壁１０と該内壁２０との間に均一且つ連続的な赤外線受光層と赤外線発光層とを離間して形成する。
【００２０】
本実施形態において、複数の赤外線発射器３０１１は、それぞれ外壁１０の、内壁２０に対向する表面に均一に設置され、複数の赤外線受信器３０１２は、それぞれ該複数の赤外線発射器３０１１に対向するように、内壁２０に均一に設置される。従って、外壁１０と内壁２０との間に均一且つ連続的な赤外線受光層と赤外線発光層とが離間して形成される。
【００２１】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２２】
１  保護装置
１０  外壁
２０  内壁
３０  盗難警報装置
１００  外側制御ドア
２００  内側制御ドア
３０１  第一赤外線感応モジュール
３０２  警報モジュール
３０３  制御モジュール
３０４  身分検証モジュール
３０５  記憶モジュール
３０６  第二赤外線感応モジュール
３０１１、３０６１  赤外線発射器
３０１２、３０６２  赤外線受信器
【図１】
2013140585.tif 000003
【図２】
2013140585.tif 000004
【図３】
2013140585.tif 000005